(57)【要約】【課題】  トイレ室の特性を活かした効果の高い簡易な壁断熱工法で、安価に迅速に施工でき、既設家屋への後施工も容易なトイレ室の壁断熱構造の提供。【解決手段】  トイレ室を構成する壁において、外気と直接接触する外壁１のトイレ室内側に、前記外壁との間に断熱空間２を保持して板状またはシート状のカバー材３を設け、この断熱空間に面した前記外壁表面および前記カバー材表面のいずれか一方の面または両方の面を低放射率面３０に形成したことを特徴とするトイレ室の壁断熱構造。【選択図】  図１
2005146727.tif 000002
【特許請求の範囲】
【請求項１】
トイレ室を構成する壁において、外気と直接接触する外壁のトイレ室内側に、前記外壁との間に断熱空間を保持して板状またはシート状のカバー材を設け、この断熱空間に面した前記外壁表面および前記カバー材表面のいずれか一方の面または両方の面を低放射率面に形成したことを特徴とするトイレ室の壁断熱構造。
【発明の詳細な説明】
【技術分野】
【０００１】
本発明は、トイレ室の壁断熱構造に関し、トイレ室の構造材である外壁の内側に施工する壁断熱技術に関する。
【背景技術】
【０００２】
近年、省エネルギーの観点から住宅の高断熱化が進められているが、家全体の断熱構造に関する技術が主であり、局所的な壁断熱の技術は殆ど提案されていない。もちろん、理想的には家全体を高断熱化して快適な家とすることが好ましいが、コストがかかることもあり、あまり進んでいないのが現状である。また、既設の家では、追加工事として高断熱化することは、金額的に施工困難であるのが実体である。
【０００３】
家全体の高断熱化は無理としても、新聞記事にも見られるように（毎日新聞、大阪２００１年１２／２６朝刊１６面）、トイレや浴室の冷たい環境が健康に悪影響を及ぼすことが言われており、これらの空間を局所的に高断熱化することの意義は大きい。
【０００４】
従来、家の高断熱に関して提案されている技術としては、屋根断熱を目的として、セメント系板材に断熱材と反射材を積層して断熱性に優れた屋根材とした技術がある（特許文献１参照：以下先行技術１）。
【０００５】
また、壁や屋根パネル裏面に断熱材を貼り、前記断熱材を覆うシートを内面に隙間を持たせて設けて鉛直方向に繋がる空間を作り、外部からの断熱と空気温度差による前記空間でのトンネル効果気流による冷却を狙った技術が提案されている（特許文献２参照：以下先行技術２）。
【０００６】
さらに、壁から屋根に連なる高気密のアルミニュウム被覆断熱ボードを、外壁および屋根との間に通気層を形成するように設けて、家屋の外郭を二重壁構造とする高気密高断熱家屋の提案がされている（特許文献３参照：以下先行技術３）。
【０００７】
これらは、いずれも、まず固体の伝導熱抵抗を増すことを主体に、厚みのある断熱性の高いボード状断熱材を主材として単品面材を構成し、この単品面材を連ねたり、重ねたりして全面としての断熱層を形成するものであり、部材の柔軟性がないので、敷設に際し単品面材の寸法がぴったり合う必要があり、施工に時間を要し、特に既築家屋に後施工として適用することは難しい。
また、構造部材との干渉が生じて、変形性に乏しい面材の全面取り付けは施工が困難で、工費がかかり、また、既築家屋への後施工取付は実質的には不可能に近い。
【０００８】
また、これらの解決技術として、本願発明者が提案した技術がある（特願２００２−２０５５５０号出願：以下先行技術４）。
【特許文献１】特許第３０３０４２９号公報
【特許文献２】特開平９−１５８３５３号公報
【特許文献３】実用新案登録第３００９５１２号公報
【発明の開示】
【発明が解決しようとする課題】
【０００９】
以上のように、既存の断熱技術は、伝導による入熱抵抗を上げることに主体をおいているので、断熱材板厚が厚くて施工の簡便性に乏しく、部材は所要寸法精度の高いものを必要とし、また、断熱材と直接接触する構成としているため、十分な熱遮断が達成できていないなどの問題点、および局所壁断熱への適用はできない問題点があった。
【００１０】
つまり、先行技術１にあっては、セメント系板材に熱伝導係数の高い金属反射板を接触積層して断熱材としているために、多量の熱量が接触熱伝導で貫通し、また、既築家屋では、例えば屋根材全てを取り替える必要があり、柔軟な適用が困難である等の問題点がある。
【００１１】
また、先行技術２にあっては、自然通気による抜熱を行う構造としているため、入熱量の大半を占める放射熱対策がなされておらず、また、本技術においても既築家屋では外壁材そのものを取り替える必要が生じるので、部材の所要寸法精度は高いものが必要であり、柔軟な適用が困難である。
【００１２】
さらに、先行技術３にあっては、気密性を目的としたアルミニュウム被覆断熱ボードであり、アルミニュウム被覆を硬質ウレタンフォーム室内面側に接触させて貼っているために、外部からの放射入熱と接触伝熱の入熱は殆んど遮断できず、また、特に部材の所要寸法精度は高いものが必要で、可撓性が乏しく、施工に技術と時間を要し、また、既築家屋への適用はできない等の問題点がある。
【００１３】
また、先行技術４にあっては、壁（垂直面）での断熱性は特に考慮されておらず、また、塵埃の多い場所においては、気中の埃が時の経過と共にシート上面に堆積し、シート表面の放射率を低下させ、遮熱性能が低下するという問題があった。
【００１４】
本発明は、上記の点に鑑みてなされたもので、トイレ室の特性を活かした効果の高い簡易な壁断熱工法で、安価に迅速に施工でき、既設家屋への後施工も容易なトイレ室の壁断熱構造を提供することを課題としている。
【００１５】
本願発明者らの調査・研究の結果では、冬の外気温度５℃で室内温度１５℃としても、伝熱面から発する放射熱は５０Ｗ／ｍ２程度有り、結構大きいので、これを小さくすることが断熱上重要である。
また、トイレは、一般には家の北側に面して配置され、壁の一面が外壁となる構成としていることが殆どである。いいかえれば、トイレドアを含めて３方の壁は家の内壁であり、トイレ室の断熱を局所的に強化する必要が最も高い壁は、外気と直接接触する外壁の１面だけである。
さらに、前記外壁は、便器の背面（便器に座った時に使用者の背中になる面）であることが多く、壁の内側に強度の必要な付属物を取り付ける必要は無い壁であることが多い。
【００１６】
この特性を最大限に利用して、外壁の内面に断熱空間を持たせてカバー材を張り、このカバー材と外壁との放射伝熱を小さくする構成とすれば、柔軟性が高く、施工の容易な壁断熱構造を達成できる。
【００１７】
また、昨今のトイレは、温水洗浄や、暖房便座が使用されること多くなってきているが、これらの小発熱量で、新たに暖房機器を設けることなくトイレ室の温暖化を達成する意味で、ますます高断熱化による熱ロスを小さくすることの効果は大きい。
【課題を解決するための手段】
【００１８】
上記の課題を解決するために、本発明のトイレ室の壁断熱構造は、
トイレ室を構成する壁において、外気と直接接触する外壁のトイレ室内側に、前記外壁との間に断熱空間を保持して板状またはシート状のカバー材を設け、この断熱空間に面した前記外壁表面および前記カバー材表面のいずれか一方の面または両方の面を低放射率面に形成した構成とした。
【発明の効果】
【００１９】
本発明の壁断熱構造では、一般家屋のトイレ室の快適化に安価で簡単に適用でき、また、既設の家屋のトイレ改装・後施工にも容易に適用可能である。
このように、本発明によれば、健康に悪影響を及ぼす冷たいトイレ環境が回避でき、これらの空間を局所的に高断熱化することに大きく貢献できるものである。
また、温水洗浄や、暖房便座が使用されているトイレでは、これらの小発熱量を最大限に活用でき、新たに暖房機器を設けることなく、トイレ室の局所温暖化を達成できることの健康上の効果は大きい。
【発明を実施するための最良の形態】
【００２０】
実際の壁断熱構造としては、外壁の内面に低放射率材を張り、その室内側にもう一枚のカバー材を、前記低放射率材に直接接触しないように、断熱空間を保持して張る構成とする。
なお、断熱対象となる外壁と、カバー材の放射伝熱を最も小さくするために、カバー材の断熱空間側表面も低放射率面とすることが好ましい。
又、低放射率材としては、その放射率を好ましくは０．２以下、悪くとも０．５以下とし、金属光沢面、代表的にはアルミ箔やアルミ蒸着膜でこれを達成できる。
【００２１】
以上の構成により、支持部以外は接触熱伝導がなく、高い遮断を可能にしたものである。すなわち、入熱側固体でカバー材と外壁が直接接触しないように空気層を介在させ、表面の放射率を低くして効果的に放射熱の遮断を行う。
カバー材と外壁の直接接触を避けるのは、低放射率材の殆んどは金属系の材料であり、金属系材は熱伝導率が高いので、接触すると接触伝熱で多くの熱量がカバー材を貫通するためである。
また、本構成では、閉じられた空間である断熱空間に低反射率面が存在するので、空気中の埃が低反射率面に堆積することによる放射率の低下を防止し、断熱性能が落ちるのを防ぐこともできる。
【００２２】
なお、トイレ室の天井や床や内壁の断熱も有効であるが、グラスウール敷設や断熱塗料の塗布など既存のものを簡単に利用でき、本発明の本旨ではないので説明を省く。
【実施例】
【００２３】
以下、本発明の実施例を図面により説明する。
図１は本発明の１実施例であるトイレ室の壁断熱構造を示す断面図で、その壁断熱構造を一般家屋に適用した断熱上最も好ましい実施例である。
【００２４】
この壁断熱構造は、トイレ室Ｔを構成する壁において、外気と直接接触する外壁１を断熱対象としている。
前記外壁１の内面には、室内側の面が低放射率面１０に形成された下張りシート１１が、天井面９０から床面９１に至るまで全面的に張設されている。
この下張りシート１１の内側に、断熱空間２を保持して板状またはシート状のカバー材３が天井面９０から床面９１に至るまで全面的に設けられている。
なお、前記断熱空間２は、カバー材３と外壁１（下張りシート１１）が直接接触しないような幅で設けるもので、その隙間は３〜５ｃｍにすることが好ましい。
【００２５】
前記カバー材３としては、例えば、多数の空気内包突起が形成された合成樹脂シートが用いられ、断熱空間２に面した裏面が低放射率面３０に形成され、トイレ室Ｔ内に面した表面が内装化粧面３１に形成されている。
このカバー材３としては、透湿性の低い材料であることが結露防止上好ましい。また、発泡材によるシートや板状材とすることが、さらに断熱性能を高めて好ましい。
【００２６】
又、カバー材３の上端縁及び両側縁は、当て板４０によって取り付けられ、又、カバー材３の下端縁は、二股金具４１に差込まれて取り付けられている。
なお、このカバー材３の端縁を取り付けるための金具としては、図２に示すような押え金具４２を用いることができるし、又、図３に示すように、本体金具４３に挟持片４４を回動可能に設けた挟持金具４５を用い、本体金具４３と挟持片４４との間にカバー材３の端縁を挟み込むようにしてもよい。
【００２７】
又、本実施例では、外壁１の内面に下張りシート１１を張ったが、この下張りシート１１は必須ではなく、カバー材３の断熱空間２側の面が低放射率面３０で有れば、下張りシート１１を設けないでも、まずまずの断熱性能を発揮することができる。
【００２８】
また、低放射率面を片面に持つ下張りシートを張った場合は、内装材として通常に用いられる化粧シートをカバー材３として使うことができる。
カバー材３のトイレ室Ｔ側の面は、室内装飾となるので化粧面とする。熱的にはこの面も低放射率の面とすることが好ましいが、赤外線領域の低放射率材は金属光沢面（鏡）となり、室内面壁としては落ち着いた雰囲気が出せないので、人への心地良さを与える視覚の方を重視した模様や色をもつ面とする。
【００２９】
又、この実施例では、外壁１に窓１５が開口しており、このため、外壁１の窓部内側に窓寸法に合う額縁状枠５を取付け、この額縁状枠５にカバー材３の窓開口縁部を接合させて、窓の開口に対処している。
【図面の簡単な説明】
【００３０】
【図１】本発明の１実施例であるトイレ室の壁断熱構造を示す断面図である。
【図２】カバー材の端縁を取り付けるための金具の例を示す側面図である。
【図３】カバー材の端縁を取り付けるための金具の例を示す側面図である。
【符号の説明】
【００３１】
１  外壁
１０  低放射率面
１１  下張りシート
１５  窓
２  断熱空間
３  カバー材
３０  低放射率面
３１  内装化粧面
４０  当て板
４１  二股金具
４２  押え金具
４３  本体金具
４４  挟持片
４５  挟持金具
５  額縁状枠
９０  天井面
９１  床面
Ｔ  トイレ室
【図１】
2005146727.tif 000003
【図２】
2005146727.tif 000004
【図３】
2005146727.tif 000005